(57)【要約】【課題】  電気機器に接続された配線ケーブルを整理して収納することが可能なケーブル整理装置を提供することを課題とする。【解決手段】  ケーブル整理装置１は、ケース支持面７が略垂直方向に沿って配されたケース支持部８と、ケース支持面７から略水平方向に突設された直方体形状を呈する一対のケース積重体９と、ケース積重体９の上面から垂設され、配線ケーブルの一部を挟持し、動きを規制するケーブル支持部２４、切欠部２５、及びゴム支持体２６から構成されるケーブル規制部１０と、ケース支持部８の下端部８ａに形成された器具収容部１７とを具備する。そして、配線ケーブルはケース積重体９の格納ケース２３に巻装した状態で格納される。【選択図】        図１
2006323441.tif 000002
【特許請求の範囲】
【請求項１】
ケース支持面が略鉛直方向に沿って配される平板状のケース支持部と、
前記ケース支持面から略水平方向に突設され、電気機器から延出された配線ケーブルを巻軸方向が略垂直方向及び略水平方向のいずれか一方に一致して巻装された状態で各々独立して格納可能な複数の格納ケースを有し、互いに隣接する前記格納ケースが略垂直方向及び略水平方向の少なくともいずれか一方に積重して構築されたケース積重体と
を具備することを特徴とするケーブル整理装置。
【請求項２】
前記ケース積重体の積重体上面から略垂直方向に垂設され、一部が穿設された刳抜孔部を有するケーブル支持部と、
前記ケーブル支持部の上端に所定の間隔で形成された複数の切欠部と、
前記切欠部に挿入され、前記ケーブル支持部の表裏面に交互に出現した状態で、前記配線ケーブルの一部を前記ケーブル支持部と挟持可能なゴム支持体と
をさらに具備することを特徴とする請求項１に記載のケーブル整理装置。
【請求項３】
前記ケース支持部の下端部近傍から略水平方向に突設され、一端が略垂直方向に曲折された曲折端部を有し、電源タップまたはＡＣアダプタを含む前記電気機器を使用するための付属電気器具を載置可能な器具収容部をさらに具備することを特徴とする請求項１または請求項２に記載のケーブル整理装置。
【請求項４】
電気機器の載置される載置面を有する天板を備える載置台本体と、
ケース支持面が略鉛直方向に沿って配される平板状のケース支持部、前記ケース支持面から略水平方向に突設され、電気機器から延出された配線ケーブルを巻軸方向が略垂直方向及び略水平方向のいずれか一方に一致して巻装された状態で各々独立して格納可能な複数の格納ケースを有し、互いに隣接する前記格納ケースが略垂直方向及び略水平方向の少なくともいずれか一方に積重して構築されたケース積重体を有するケーブル整理装置と、
前記載置台本体と前記ケーブル整理装置を連結し、固定する連結固定手段と
を具備することを特徴とする載置台。
【請求項５】
前記天板の少なくとも一部に設けられ、略Ｔ字形状を呈し、前記配線ケーブルの挿通可能なＴ字切欠孔をさらに具備することを特徴とする請求項４に記載の載置台。
【発明の詳細な説明】
【技術分野】
【０００１】
本発明は、ケーブル整理装置、及び載置台に関するものであり、特に、電気機器に接続されるＵＳＢケーブル等の複数の配線ケーブルを独立して格納し、整理することが可能なケーブル整理装置、及び該ケーブル整理装置の取設されたパソコンデスク等の載置台に関するものである。
【背景技術】
【０００２】
近年に入り、テレビ、ビデオ、ＤＶＤレコーダ等の映像音声関連機器、或いはパーソナルコンピュータを始めとする各種情報通信機器の飛躍的な進歩に伴って、これらの電気機器等の各家庭への普及率が増加している。
【０００３】
これらの電気機器等は、主に商用電源（家庭用１００Ｖに相当）に接続し、電力の供給を受ける電源コードが接続されている他に、テレビとビデオとの間の映像ケーブル及び音声ケーブルの接続、パーソナルコンピュータとプリンターとの間のＵＳＢケーブルのような印刷用ケーブルの接続など、各種の配線ケーブルが電気機器等の主に裏面に接続されている。さらに、具体的に説明すると、一般的なデスクトップタイプのパーソナルコンピュータ本体の場合、各種映像を出力するための映像信号を液晶ディスプレイ等に送出するための映像出力ケーブル、パーソナルコンピュータを操作するためのマウス及びキーボードを連結するための操作用ケーブル、プリンタ・スキャナ・外部補助記憶装置とそれぞれ連結するためのＵＳＢケーブルまたは専用規格の接続ケーブル、インターネット等のネットワーク接続を可能にするための電話線或いはネットワークケーブル等の通信ケーブル、ＴＶチューナーと接続し、地上波放送を出力するためのアンテナケーブル、及びマイク・ヘッドホン等のオーディオケーブル等の種々雑多のケーブルが接続されている。すなわち、電源コード以外に数本から数十本の配線ケーブルがパーソナルコンピュータに接続されていることになる。
【０００４】
ここで、上述した配線ケーブルは、電気機器同士の接続を容易にするために、多少の余裕を持った、すなわち、電気機器の接続端子（インターフェース部）の間よりも長い配線ケーブルが利用され、または電気機器に付属品として添付されている。そのため、パーソナルコンピュータ等を載置した載置台（パソコンデスク）等の背面側は、複数の配線ケーブルが弛んだ状態で垂れ下がっている。特に、複数の配線ケーブルが使用される場合には、係る配線ケーブル同士が複雑に絡合い、周囲に対して非常に見苦しい印象を与えることがあった。
【０００５】
そこで、これらの配線ケーブルが散乱した電気機器の背面側の状態を解消する目的で、種々の器具等が開発されている。例えば、テレビやパーソナルコンピュータ等の電気機器の載置されるデスクや台の背面側に、開閉可能な扉を設けた略直方体形状の箱型部材を設置し、該箱型部材の中に配線ケーブルを収容し、外観的に整理された状態にするものや（例えば、特許文献１参照）、机の背面側に雨樋のような形状の部材を複数段に亘って積層したダクト状の部材を設け、個々の配線ケーブルが垂れ下がらないようにするもの（例えば、特許文献２参照）などが開示されている。
【０００６】
【特許文献１】特開２００３−６３９６９号公報
【特許文献２】実開平０５−３７１４０号公報
【発明の開示】
【発明が解決しようとする課題】
【０００７】
しかしながら、上述した箱型部材の中に配線ケーブルを収容するものは、外見上の見た目は、確かに配線ケーブルが整理された状態が創出されるものの、箱型部材の内部は、これまでと同様に複数の配線ケーブルが絡合った状態になっていた。すなわち、配線ケーブルを周囲の目に晒さないようにすることが目的であり、本質的に配線ケーブルを整理して収容したことにはならなかった。そのため、電気機器をメンテナンス等のために別の場所に移動させようとしたり、新たな電気機器に交換をしようとする場合、複雑に絡み合った配線ケーブルの中から目的の配線ケーブルを探し出し、さらに絡み合いを解く作業を行う必要があり、係る作業を煩雑に感じることがあった。
【０００８】
一方、配線ケーブル等をダクト状の部材にそれぞれ独立して配し、隣接する机の間に送出することが可能なものは、上述のように配線ケーブル同士が絡み合うような不具合を生じることはなかった。しかしながら、端に雨樋のようなダクト状の部材に収容するだけであるため、配線ケーブルの撓み等によって容易に浮き上がり、ダクト状の部材の中に常に収容した状態にすることが困難なことがあった。
【０００９】
そこで、本発明は、上記実情に鑑み、テレビやパーソナルコンピュータ等の電気機器に接続された配線ケーブルをそれぞれ独立した状態で整理することが可能なケーブル整理装置、及び該ケーブル整理装置が連結された載置台の提供を課題とするものである。
【課題を解決するための手段】
【００１０】
上記の課題を解決するため、本発明にかかるケーブル整理装置は、「ケース支持面が略鉛直方向に沿って配される平板状のケース支持部と、前記ケース支持面から略水平方向に突設され、電気機器から延出された配線ケーブルを巻軸方向が略垂直方向及び略水平方向のいずれか一方に一致して巻装された状態で各々独立して格納可能な複数の格納ケースを有し、互いに隣接する前記格納ケースが略垂直方向及び略水平方向の少なくともいずれか一方に積重して構築されたケース積重体と」を主に具備して構成されている。
【００１１】
ここで、電気機器に接続された配線ケーブルとは、上述したように、パーソナルコンピュータ等と接続する映像出力ケーブル、操作用ケーブル、ＵＳＢケーブル、通信用ケーブル、アンテナケーブル、及びオーディオケーブル等が相当する。これらの配線ケーブルは、長紐状の態様を有し、内部に各種電気信号を送出するための導線部を有し、その周囲が絶縁性の樹脂によって被覆されている。また、それぞれの両端部には、各種電気機器の接続部（インターフェイス部、接続端子）と接続可能な形状に形成された端子部（コネクタ部）が設けられている。なお、電気機器間に配される配線ケーブルの中を流通する電気信号は、一般に微弱なものであり、配線ケーブルを巻装した場合であっても誘導電流が発生したり、巻装することによって熱が発生し、導線部を被覆している樹脂製の被覆部材が融けて導線部同士が接触し、短絡するような事態に遭遇することは少ない。そのため、本発明のケーブル整理装置の格納ケースの格納空間に配線ケーブルを巻装することに特に不具合を生じることはない。
【００１２】
ところで、電気機器を稼働するための電流が流通する電源コード（電源ケーブル）は、比較的強い電流が流れるため、上述のように巻装することによって、特定条件下で誘導電流が発生する可能性も示唆される。そのため、本発明のケーブル整理装置の格納ケースに、電源コード等の強い電流が流れる可能性のあるケーブル類は、巻装して格納することは可能な限り避けることが好ましい。なお、ケース積重体の周囲に係る電源コードを巻装し、比較的広径のコイル径を有するようにすることで、上述の誘導電流の発生を抑えることが可能となる場合もある。
【００１３】
さらに、複数の格納ケースによって構築されるケース積重体は、例えば、木材等の素材を加工して形成することが可能であり、個々の格納ケースを略水平方向及び略垂直方向の少なくともいずれか一方に積重した状態で形成されている。なお、巻装された配線ケーブルは、巻軸方向が略垂直方向または略水平方向にいずれか一方に沿った状態で格納されている。すなわち、巻軸方向が略垂直方向に一致する場合、略水平方向に横長の格納ケースが必要となる。一方、巻軸方向が略水平方向に一致する場合、略水平方向に縦長の格納ケースが必要となる。
【００１４】
したがって、本発明のケーブル整理装置によれば、ケース支持部から突設されたケース積重体のそれぞれの格納ケースに、配線ケーブルが独立し、巻装された状態で格納される。これにより、複数の配線ケーブル同士が絡み合うことがない。また、電気機器の間よりも長い配線ケーブルは、電気機器の間を垂れ下がった状態で接続することが回避され、外見上の見苦しさを解消することができる。さらに、それぞれ独立して格納されているため、例えば、一の電気機器を取り外す場合などであっても、所定の配線ケーブルを容易に探し出すことができ、その後の取り外し作業、及び新たな配線ケーブルの接続作業等が簡易に行える。
【００１５】
さらに、本発明にかかるケーブル整理装置は、上記構成に加え、「前記ケース積重体の積重体上面から略垂直方向に垂設され、一部が穿設された刳抜孔部を有するケーブル支持部と、前記ケーブル支持部の上端に所定の間隔で形成された複数の切欠部と、前記切欠部に挿入され、前記ケーブル支持部の表裏面に交互に出現した状態で、前記配線ケーブルの一部を前記ケーブル支持部と挟持可能なゴム支持体と」を具備するものであっても構わない。
【００１６】
したがって、本発明のケーブル整理装置によれば、ケーブル支持部、切欠部、及びゴム支持体を備え、ケーブル支持部及びゴム支持体によって電気機器に接続された配線ケーブルの一部が挟持して支持される。すなわち、電気機器に接続された配線ケーブルは、通常はパソコンデスク等の載置台の裏面に垂れ下がり、風などによって容易に揺動可能な状態にある。しかしながら、本発明のケーブル整理装置は、電気機器との接続部から上述した格納ケースに格納される間の配線ケーブルをゴム支持体等によって支持することが可能となる。これにより、風などによって配線ケーブルが揺れ、載置台に衝突して音を発生したり、巻装された配線ケーブルが解ける可能性を低くすることができる。その結果、長期に亘って配線ケーブルをコイル状に巻かれた状態に維持することができる。なお、コイル状に巻くことのできない短い配線ケーブルであっても、係るゴム支持体等によって挟持し、刳抜孔部からケーブル支持部の裏面側を通し、再びゴム支持体等によって挟持し、他方の電気機器に接続することが可能となる。これにより、配線ケーブルが垂れ下がった状態にならず、かつケーブル支持部によって外界から遮蔽することが行える。
【００１７】
さらに、本発明にかかるケーブル整理装置は、上記構成に加え、「前記ケース支持部の下端部近傍から略水平方向に突設され、一端が略垂直方向に曲折された曲折端部を有し、電源タップまたはＡＣアダプタを含む前記電気機器を使用するための付属電気器具を載置可能な器具収容部を」具備するものであっても構わない。
【００１８】
したがって、本発明のケーブル整理装置によれば、電源タップ等を載置可能な器具収容部を有している。これにより、各電気機器に電力を供給する電源タップ等の配線ケーブルに比して大きなサイズで、かつ重い付属電気器具を併せて収容することが可能となる。特に、電源タップを載置し、係るコンセントから電力を供給することにより、ケーブル整理装置からは電源タップに接続したコードのみが延出されることになる（通信用の電話コード、或いはネットワークケーブル等を除く）。その結果、ケーブル整理装置を設置したパソコンデスク等の周囲に散乱する可能性のある複数の電源コードを集約し、一つにまとめることができる。
【００１９】
一方、本発明にかかる載置台は、「電気機器の載置される載置面を有する天板を備える載置台本体と、ケース支持面が略鉛直方向に沿って配される平板状のケース支持部、前記ケース支持面から略水平方向に突設され、電気機器から延出された配線ケーブルを巻軸方向が略垂直方向及び略水平方向のいずれか一方に一致して巻装された状態で各々独立して格納可能な複数の格納ケースを有し、互いに隣接する前記格納ケースが略垂直方向及び略水平方向の少なくともいずれか一方に積重して構築されたケース積重体を有するケーブル整理装置と、前記載置台本体と前記ケーブル整理装置を連結し、固定する連結固定手段と」を主に具備して構成されている。
【００２０】
したがって、本発明の載置台によれば、上述したケーブル整理装置が連結固定手段を介して載置台本体の天板または台側面部に固定されている。なお、連結固定手段は、従来から周知のボルト及びナットを利用し、天板及びケーブル整理装置を締結して固定するもの、接着剤や粘着テープ等の粘着力を利用して固定するもの等を用いることが可能である。これにより、載置台の天板の載置面や複数の棚板の上に載置された電気機器（パーソナルコンピュータ、スキャナ、プリンタ、テレビ、ビデオ、ＤＶＤレコーダ等）に接続された配線ケーブルをケーブル整理装置のケース積重体に巻装して格納することが可能となる。なお、載置台には、パーソナルコンピュータ用のパソコンデスク、テレビやビデオ等のＡＶ機器用のＡＶラック等が相当し、配線ケーブルが接続されている電気機器を載置するものであれば特に構わない。そのため、キッチンで使用される電子レンジや炊飯器等の調理家電を載置する台であってもよい。
【００２１】
さらに、本発明にかかる載置台は、上記構成に加え、「前記天板の端部の少なくとも一部に設けられ、略Ｔ字形状を呈し、前記配線ケーブルの挿通可能なＴ字切欠孔を」具備するものであっても構わない。
【００２２】
したがって、本発明の載置台によれば、Ｔ字切欠孔を有している。これにより、天板の上面から配線ケーブルを天板の下面側に導く際に、該Ｔ字切欠孔に挿通させることにより、天板側面側に配線ケーブルが膨らむことがない。その結果、配線ケーブルによる無用な撓み（膨らみ）の形成を回避し、電気機器の接続部から格納ケースまで、可能な限り短い配線ケーブルの長さで到達させられる。これにより、配線ケーブルの膨らみ等によって美観性を損なうことなく、かつ撓み等によって配線ケーブルを痛めることが少なくなる。
【発明の効果】
【００２３】
本発明のケーブル整理装置及び載置台の効果によれば、パソコンデスクの天板等に載置された電気機器の裏面から延出する複数の配線ケーブルを、それぞれ各配線ケーブル毎に格納ケースに格納し、整理することができる。その結果、従来はパソコンデスクの背面側に複数散乱し、絡み合った状態の配線ケーブルの絡まりを解き、パソコンデスク等の周囲を美観的にすっきりさせた状態にすることができる。さらに、ケーブル整理装置の下方には、電源タップ等を載置可能な器具収容具を設けることにより、パソコンデスク等の載置台の周囲をも整理することができる。さらに、ケース整理装置は、連結固定手段を介して既存の机等に取付けることができる為、既存の資産をそのまま有効に活用し、複数の配線ケーブルを整理することができる。加えて、格納ケースに配線ケーブルを巻装して格納することにより、電気機器の間を接続する配線ケーブルの長さを任意に調整することができる。
【発明を実施するための最良の形態】
【００２４】
以下、本発明の一実施形態であるケーブル整理装置１について、図１乃至図５に基づいて説明する。ここで、図１は本実施形態のケーブル整理装置１の構成を示す正面図であり、図２はケーブル整理装置１の構成を示す左側面図であり、図３及び図４はケーブル整理装置１の使用態様の一例を示す説明図であり、図５は一対のパソコンデスク２の間に嵌設されるＴ字孔天板３の構成を示す説明図である。なお、本実施形態では、一対のパソコンデスク２の背側面部４同士を互いに対向するように並設け、該背側面部４にケーブル整理装置１をそれぞれ取設するものについて主に説明する。また、各パソコンデスク２の天板５及び棚板（図示しない）には、パーソナルコンピュータ、液晶ディスプレイ、プリンタ、スキャナ等の各種の電気機器が載置され、プリンタケーブルやＵＳＢケーブル等の各種配線ケーブル６が各々の接続部（インターフェイス部）に接続されているものについて例示する。
【００２５】
本実施形態のケーブル整理装置１は、図１乃至図５に示すように、ケース支持面７がパソコンデスク２の背側面部４に接し、略鉛直方向（図１乃至図４における紙面上下方向に相当）に沿って配されたケース支持部８と、ケース支持面７から略水平方向（図２及び図４における紙面左右方向に相当）に突設された直方体形状を呈する一対のケース積重体９と、ケース積重体９の上面から垂設され、電気機器に接続された配線ケーブル６の一部を挟持し、配線ケーブル６の動きを規制するケーブル規制部１０と、ケース支持部８の下端部８ａから略水平方向に突出した受部材１１及び受部材１１の一端からケース積重体９の在る上方側に向かって曲折された曲折部１２を有し、電気機器に接続された電源コード１３に電力を供給するための複数の挿込口１４を有する電源タップ１５及び商用電源から供給される電力を電気機器の稼働電力に変換するためのＡＣアダプタ１６等の比較的重量物の付属電気器具を載置し、収容可能な器具収容部１７とを具備して主に構成されている。なお、本実施形態のケーブル整理装置１は、主として木材を原料として使用し、所望の形状に加工した各構成部材を釘、ボルト及びナットの組合わせ、接着剤、或いは”ほぞ”及び”ほぞ穴”加工によるほぞ組み等の周知の固定手段または接続手段を利用し、図１及び図２に示す形状に構築されている。
【００２６】
さらに、詳細に説明すると、ケース積重体９は、ケース支持面７に当接するように配された第一縦板部材１８と、該第一縦板部材１８から互いに対向するように略水平方向に突出された三枚の横板部材（上横板部材１９ａ、中横板部材１９ｂ、下横板部材１９ｃ）と、横板部材１９ａ等のそれぞれの先端と接続し、第一縦板部材１８と対向するように配された第二縦板部材２０と、互いに対向する横板部材（上横板部材１９ａ及び中横板部材１９ｂ、及び、中横板部材１９ｂ及び下横板部材１９ｃ）の間を接続し、区画する二枚の区画板部材２１ａ，２１ｂとによって構成され、四つの空間（格納空間２２）を有している（図２参照）。
【００２７】
すなわち、本実施形態のケーブル整理装置１のケース積重体９は、該格納空間２２を有する四つの格納ケース２３が上下左右に積重して形成されている。なお、本実施形態では、ケース積重体９は、左右に一対ずつ設けられているため、格納ケース２３（格納空間２２）は合計で八つ具備している。また、各格納ケース２３の左右方向（図１及び図３における紙面左右方向に相当）は、格納空間２２に配線ケーブル６を格納するために開放され、格納空間２２と周囲とが連通した状態にある。
【００２８】
さらに、ケーブル規制部１０について詳述すると、図３に主に示すように、ケーブル規制部１０は、互いのケース積重体９の間を架渡すようにして積重体上面９ａから垂設された平板状のケーブル支持部２４と、ケーブル支持部２４の上端に所定間隔で設けられた複数の切欠部２５と、該切欠部２５の間に挿入される広幅のゴム支持体２６とによって主に構成されている。ここで、広幅のゴム支持体２６は、ケーブル支持部２４の幅方向（図１及び図３における紙面左右方向に相当）よりも僅かに短い長さで形成され、それぞれの端部２７ａ，２７ｂがケーブル支持部２４の支持部表面２８に固定されている。そのため、係る状態では、ゴム支持体２６は端部２７ａ，２７ｂ同士を近接させようとする収縮力（張力）が発生している。
【００２９】
さらに、係るゴム支持体２６はケーブル支持部２４の上端近傍を櫛状に形成した複数の切欠部２５の間にそれぞれ挿入され、該ゴム支持体２６がケーブル支持部２４の支持部表面２８及び支持部裏面２９に交互に出現可能なように配されている（図３参照）。なお、図３に示すように、切欠部２５の間隔は、交互に出現するゴム支持体２６の面積が支持部表面２８側で大きくなるように形成されている。これにより、ゴム支持体２６の一部を指でつまみ、引っ張ることにより、ケーブル支持部２４及びゴム支持体２６の間に空間が生じる。そのため、この空間に配線ケーブル６を挿入し、その後、指でつまんだゴム支持体２６を離すことにより、ゴム支持体２６が弾性力によって元の状態に付勢され、ケーブル支持部２４の支持部表面２８及びゴム支持体２６によって配線ケーブル６の一部が挟まれる。その結果、配線ケーブル６の動きが規制される。
【００３０】
また、ケーブル支持部２４の中央付近（切欠部２５の下方に相当）には、支持部表面２８及び支持部裏面２９を貫通した長円形状の刳抜孔部３０が三つ設けられている。係る刳抜孔部３０は、前述したケース積重体９の格納ケース２３に格納する程、配線ケーブル６の長さがない場合、係る刳抜孔部３０を通してケーブル連通空間３１に導き、接続先の電気機器に接続するようにするものである。これにより、無用な長さの配線ケーブル６がパソコンデスク２等の背面側に垂下がることがない。
【００３１】
なお、本実施形態のケーブル整理装置１は、互いの背側面部４を対向するようにした一対のパソコンデスク２にそれぞれ設けられている。この場合、背側面部４に対し、天板５の突出部分が短いと、本実施形態のケーブル整理装置１を取設することが困難となる。そこで、図４及び図５に示すように、一対のパソコンデスク２をやや離間して並べ設け、その間にＴ字切欠孔３２を有するＴ字孔天板３を嵌設する。このとき、互いの天板５の間には、係るＴ字孔天板３を支持するために、両端部が曲折された係止部３３を有する支持金具３４が架渡されている。
【００３２】
ここでＴ字孔天板３のＴ字切欠孔３２は、「Ｔ」の字の横棒に相当するケーブル導出部３５と、該ケーブル導出部３５の略中央付近から直交し、Ｔ字孔天板３の一端まで到達したケーブル挿入部３６とによって構成されている。係る構成により、配線ケーブル６は、ケーブル挿入部３６に挿入され、その後、ケーブル導出部３５に移動させることができる。これにより、配線ケーブル６は、従前の天板５の端部で無理に曲折することがなく、配線ケーブル６に無理な負荷がかかり、断線等の故障が発生することを防ぐことができる。
【００３３】
加えて、該Ｔ字孔天板３の裏面３ａには、複数箇所に鉤受部３７が設けられている（図３及び図４参照）。一方、ケーブル整理装置１のケーブル支持部２４の上端には、この鉤受部３７に引掛可能に先端部が鉤状に形成された鉤部３８が取付けられている。そのため、この鉤部３８を鉤受部３７に引掛けることにより、Ｔ字孔天板３に、本実施形態のケーブル整理装置１が吊下げ支持されることになる。なお、パソコンデスク２の背側面部４及びケーブル整理装置１のケース支持部８の間は、粘着性の両面テープ（図示しない）が貼付されている。これにより、ケーブル整理装置１は、パソコンデスク２に対して強固に固定され、連結されている。ここで、鉤受部３７及び鉤部３８、及び両面テープが本発明の載置台における連結固定手段に相当する。
【００３４】
次に、本実施形態のケーブル整理装置１の使用態様の一例について、主に図３及び図４に基づいて説明する。まず、電気機器に接続された配線ケーブル６をＴ字孔天板３のケーブル挿入部３６に挿入し、その後、ケーブル挿入部３６と連通したケーブル導出部３５に導く。ここで、ケーブル導出部３５は、パソコンデスク２の長手方向に沿って形成されている。そのため、ケーブル導出部３５は、ほぼパソコンデスク２の長さと一致するため、電気機器の接続部と該ケーブル導出部３５を接続する配線ケーブル６の長さを最小にすることができる。これにより、電気機器の裏面側に無用な長さの配線ケーブル６が溜まることがなくなる。
【００３５】
そして、ケーブル導出部３５から天板５の下方側に導かれた配線ケーブル６をゴム支持体２６及びケーブル支持部２４の間にその一部を挟込む。さらに、具体的に説明すると、ゴム支持体２６の一部を指でつまみ、ゴム支持体２６を弾性変形させる。これにより、ゴム支持体２６とケーブル支持部２４の支持部表面２８との間（互いに隣り合う切欠部２５に挟まれた領域）に僅かな隙間が形成される。そして、係る隙間に配線ケーブル６の先端を挿入し、ゴム支持体２６をつまんでいた指を離す。これにより、ゴム支持体２６は弾性力によって付勢され、元の状態に復帰する。このとき、復帰したゴム支持体２６とケーブル支持部２４との間には、上述した配線ケーブル６が挟持された状態となっている。その結果、ゴム支持体２６によって、配線ケーブル６の動きが規制される。すなわち、電気機器に接続された配線ケーブル６は、電気機器の裏面側からゴム支持体２６までの間の長さが変化することがなく、また風などの外力によって揺動することがない。
【００３６】
その後、ゴム支持体２６等によって挟持された配線ケーブル６を、図３及び図４に示すように巻装状態にする。なお、巻装した状態が配線ケーブル６の弾性力によって解けるのを防ぐため、巻装した中央付近をケーブル係止用の係止部材によって固定するものであってもよい。そして、格納ケース２３の縦長形状の格納空間２２に巻軸方向を略水平方向に一致させるようにして、格納ケース２３の側方から挿入する。前述したように、格納ケース２３及び積重体９の左右の側面は、いずれも開放して形成されているため、上述の操作は容易に行うことができる。そして、巻装された配線ケーブル６の一端を目的の電気機器に接続するために、上述の同様の操作を繰り返す。すなわち、ゴム支持体２６等によって配線ケーブル６を挟持して支持し、Ｔ字孔天板３を通して、一端の接続部を電気機器の裏面等に設けられたインターフェースに接続する。これにより、互いの電気機器同士を連結する配線ケーブル６は、ゴム支持体２６によって二カ所が固定され、さらに余分な長さは巻装してケース積重体９の格納ケース２３に格納される。その結果、従来はパソコンデスク２の裏面側に散乱していた配線ケーブル６を整理し、収容することができる。なお、配線ケーブル６は、微弱な電流が流通するものであり、略コイル状に巻装することによって、誘導電流等が発生することがない。
【００３７】
これにより、電気機器に接続される複数の配線ケーブル６をそれぞれ格納ケース２３に独立して格納し、整理することができる。そのため、パソコンデスク２の背側面部４に配線ケーブル６が散乱し、不快な印象を与えることがなくなる。なお、電源コード等の大きな電流が流れるものは、前述したように誘導電流が発生したり、熱によって一部が融けるおそれがある。そのため、格納ケース２３に巻装して格納することは好ましくない。しかしながら、係る誘導電流の発生は、コイル径（すなわち、配線ケーブル６の巻径）に大きく依存するものである。そのため、比較的大きなコイル径を有するものであれば、誘導電流が発生する可能性が低くなる。例えば、ケース積重体９の周囲に電源コードを巻装することによって、該電源コードの垂下がりを防止することができる。さらに、本実施形態のケーブル整理装置１は、その下端に電源タップ１５等の付属電気器具を収容することができる。そのため、係る電源タップ１５から各電気器具を供給することが可能となる。その結果、本実施形態のケーブル整理装置１からは電源タップ１５及び商用電源（図示しない）を接続する電源コード１３及びインターネット通信用の電話線４０が延出されるものであり、それ以外の配線ケーブル６類は全てケーブル整理装置１内に収めることが可能となる。そのため、ケーブル整理装置１が取設されたパソコンデスク２の周囲のケーブル類をまとめることが可能となる。
【００３８】
加えて、本実施形態のケーブル整理装置１は、鉤受部３７及び鉤部３８等の連結固定手段によってパソコンデスク２等の載置台に着脱自在に固定可能であるため、既存のパソコンデスク等に容易に設置することができる。さらに、ゴム支持体２６等によって配線ケーブル６の一部を挟持することができるため、パソコンデスク２の背側面部４の側が従来のように垂れ下がって見苦しい状態になることを防ぐことができる。
【００３９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４０】
すなわち、本実施形態のケーブル整理装置１において、パソコンデスク２と着脱可能な構成のものを示したが、これに限定されるものではなく、パソコンデスク２及びケーブル整理装置１が予め一体となった載置台として構成されるものであっても構わない。これにより、ケーブル整理装置１の取付け手順を省略することができ、係る載置台を購入することにより、そのまま配線ケーブル６の整理を行うことが可能となる。この場合、既存のパソコンデスクが本発明における載置台本体に相当する。また、ケーブル整理装置１の構成として、巻装された配線ケーブル６を、巻軸方向を略水平方向に一致させて格納空間２２に格納可能な、縦型の格納ケース２３を有するケース積重体９を備えるものを示したが、これに限定されるものではなく、巻軸方向を略垂直方向に一致させた横型の格納ケース（格納空間）を備えるものであっても構わない。
【００４１】
加えて、本実施形態のケーブル整理装置１において、連結固定手段として鉤受部３７及び鉤部３８の構成を有するものを示したが、これに限定されるものではなく、その他の周知の固定手段を利用するものであっても構わない。また、Ｔ字切欠孔３２を有するＴ字孔天板３を天板５と別に備えるものを示したが、載置台の天板５自体に係るＴ字切欠孔を有するものであっても構わない。さらに、本実施形態のケーブル整理装置１において、パーソナルコンピュータ及びその他周辺機器に接続された配線ケーブル６を整理するものについて例示したが、これに限定されるものではなく、テレビ・ビデオ・ＤＶＤレコーダ等のオーディオ・ビジュアル機器等の家電製品に適用するものであっても勿論構わない。加えて、載置台の一例としてパソコンデスク２を示したが、これに限定されるものではなく、ＴＶ台やオーディオラックのようなものであっても構わない。
【００４２】
さらに、本実施形態のケーブル整理装置１において、ケース積重体９を構成する各部材１８、１９ａ等、２１ａ等を平板状の木材を用いて構成するものを示したがこれに限定されるものではなく、例えば、各面状に格納空間２２と連通可能な通気孔（図示しない）を設けるものであっても構わない。これにより、格納空間２２に格納された配線ケーブル６によって生じる熱を開放することができる。さらに、本実施形態においてケーブル整理装置１を天板３，５の下方に設けるものを示したが、これに限定されるものではなく、天板３，５の上方に設けるものであっても構わない。すなわち、天板３，５の上方に設けられた棚板等と連結し、載置台（パソコンデスク）に固定するものであってもよい。これにより、プリンター等の一般的にパソコン本体の上方に設置される可能性の高い電気機器に接続された配線ケーブル６をケーブル積重体９に至るまでの長さを可能な限り短くして格納することができる。なお、係る場合、パソコン本体等に接続された配線ケーブル６は、本実施形態のケーブル整理装置１の下方からケース積重体９に挿入されることとなる。
【図面の簡単な説明】
【００４３】
【図１】本実施形態のケーブル整理装置の構成を示す正面図である。
【図２】ケーブル整理装置の構成を示す左側面図である。
【図３】ケーブル整理装置の使用態様の一例を示す説明図である。
【図４】ケーブル整理装置の使用態様の一例を示す説明図である。
【図５】一対のパソコンデスクの間に嵌設されるＴ字孔天板の構成を示す説明図である。
【符号の説明】
【００４４】
１  ケーブル整理装置
２  パソコンデスク（載置台）
３  Ｔ字孔天板（天板）
３ａ  裏面
４  背側面部
５  天板
６  配線ケーブル
７  ケース支持面
８  ケース支持部
８ａ  下端部
９  ケース積重体
９ａ  積重体上面
１１  受部材
１２  曲折部
１３  電源コード
１５  電源タップ
１６  ＡＣアダプタ
１７  器具収容部
２２  格納空間
２３  格納ケース
２４  ケーブル支持部
２５  切欠部
２６  ゴム支持体
２８  支持部表面
３０  刳抜孔部
３２  Ｔ字切欠孔
３７  鉤受部（連結固定手段）
３８  鉤部（連結固定手段）
４０  電話線（配線ケーブル）
【図１】
2006323441.tif 000003
【図２】
2006323441.tif 000004
【図３】
2006323441.tif 000005
【図４】
2006323441.tif 000006
【図５】
2006323441.tif 000007